(57)【要約】【課題】  照明装置及び液晶表示装置において、バックライト等の全体発光領域において、輝度分布の均一化及び有効発光領域の確保を可能にすること。【解決手段】  バックライト２が、支持板と、該支持板上で回転可能に複数並べて支持された発光回転体６と、発光回転体６を回転駆動する回転機構とを備え、発光回転体６が、回転中心から半径方向に延在する白色ＬＥＤモジュール１０を有したバックライト２とする。これにより、見かけ上、複数の円形状発光領域が得られ、均一に複数の発光回転体６を配置することで、大面積であっても均一な輝度分布及び広い有効発光領域を得ることができる。【選択図】  図１
2008034267.tif 000002
【特許請求の範囲】
【請求項１】
支持板と、
該支持板上で回転可能に複数並べて支持された発光回転体と、
前記発光回転体を回転駆動する回転機構とを備え、
前記発光回転体が、回転中心から半径方向に延在する発光体を有していることを特徴とする照明装置。
【請求項２】
請求項１に記載の照明装置において、
前記発光体が、赤色ＬＥＤ、緑色ＬＥＤ及び青色ＬＥＤの組合せ又は白色ＬＥＤで構成されていることを特徴とする照明装置。
【請求項３】
請求項２に記載の照明装置において、
前記発光体が、青色ＬＥＤ素子又は紫外光ＬＥＤ素子を有し青色光又は紫外光を白色光に変換させる蛍光体を含有した封止樹脂で前記ＬＥＤ素子を封止した白色ＬＥＤモジュールで構成され、
前記白色ＬＥＤモジュールが、前記回転中心から半径方向に延在した略長方形状とされていることを特徴とする照明装置。
【請求項４】
請求項２に記載の照明装置において、
前記発光体が、複数の赤色ＬＥＤ素子を有する赤色ＬＥＤモジュールと複数の緑色ＬＥＤ素子を有する緑色ＬＥＤモジュールと複数の青色ＬＥＤ素子を有する青色ＬＥＤモジュールとで構成され、
前記赤色ＬＥＤモジュール、前記緑色ＬＥＤモジュール及び前記青色ＬＥＤモジュールが、それぞれ前記回転中心から半径方向に延在した略長方形状とされていることを特徴とする照明装置。
【請求項５】
請求項２に記載の照明装置において、
前記発光体が、赤色ＬＥＤ素子を有する赤色ＬＥＤパッケージと緑色ＬＥＤ素子を有する緑色ＬＥＤパッケージと青色ＬＥＤ素子を有する青色ＬＥＤパッケージとを前記回転中心から半径方向に順次並べた少なくとも３つの３色ＬＥＤモジュールで構成され、
前記３つの３色ＬＥＤモジュールが、互いに前記回転中心から同一距離にあるパッケージは互いに異なる発光色となるように配置されていることを特徴とする照明装置。
【請求項６】
請求項１から５のいずれか一項に記載の照明装置において、
前記発光回転体が、前記発光体の発光に対して反射効果のある上面に前記発光体を実装した回転基板を備えていることを特徴とする照明装置。
【請求項７】
請求項６に記載の照明装置において、
前記回転基板が、円錐形状とされていることを特徴とする照明装置。
【請求項８】
請求項６又は７に記載の照明装置において、
複数の前記回転基板が、千鳥格子状に配置されていることを特徴とする照明装置。
【請求項９】
請求項６から８のいずれか一項に記載の照明装置において、
隣接する前記回転基板が、互いに異なる高さに設定されて外縁部の一部が重なり合って配されていることを特徴とする照明装置。
【請求項１０】
請求項６から９のいずれか一項に記載の照明装置において、
隣接する前記回転基板の間に、前記発光体の発光に対して反射効果のある表面とされた略角錐状又は略円錐状の反射柱が設置されていることを特徴とする照明装置。
【請求項１１】
請求項６から１０のいずれか一項に記載の照明装置において、
前記発光回転体に、複数のフィンが設けられていることを特徴とする照明装置。
【請求項１２】
液晶層を有する液晶パネルと、
前記液晶パネルの背面から照明光を投射するバックライトとを備え、
前記バックライトが、請求項１から１１のいずれか一項に記載の照明装置であることを特徴とする液晶表示装置。
【発明の詳細な説明】
【技術分野】
【０００１】
本発明は、例えば液晶表示装置のバックライトに好適な照明装置及びこれを用いた液晶表示装置に関する。
【背景技術】
【０００２】
低消費電力で薄型のディスプレイ装置である液晶表示装置は、テレビジョン、パーソナルコンピュータのディスプレイ及び車載パネル等の種々のディスプレイ装置に採用されている。一般に、液晶表示装置は、基板間に挟持された液晶層を有する液晶パネルに対し、その背面から照明光を照射するバックライトを備えている。例えば、特許文献１には、液晶パネルに対して所定の広がりを有する照明光を含む指向性バックライトを備えた液晶表示装置が提案されている。この指向性バックライトは、例えば板状の導光体（導光板）の両端に光源である一対の冷陰極管が配置された、いわゆるエッジライト型とされている。
【０００３】
【特許文献１】特開２００３−１１４４２４号公報（特許請求の範囲、図１、図４）
【発明の開示】
【発明が解決しようとする課題】
【０００４】
しかしながら、上記従来の技術には、以下の課題が残されている。
すなわち、液晶表示装置では、全体発光領域での均一な輝度分布及び有効発光領域の確保が要求されるが、液晶表示装置が大型化されると、バックライトによる輝度分布が不均一になり易いと共に有効発光領域の確保が困難になるという不都合があった。特に、特許文献１に記載の技術のように、エッジライト型のバックライトでは液晶パネルの端部から放射した光を導光板で液晶パネルの中央へと導いて照明光とするため、大型化するほど導光する距離が遠くなって輝度が低下してしまう。
【０００５】
本発明は、前述の課題に鑑みてなされたもので、バックライト等の全体発光領域において、輝度分布の均一化及び有効発光領域の確保が可能な照明装置及び液晶表示装置を提供することを目的とする。
【課題を解決するための手段】
【０００６】
本発明は、前記課題を解決するために以下の構成を採用した。すなわち、本発明の照明装置は、支持板と、該支持板上で回転可能に複数並べて支持された発光回転体と、前記発光回転体を回転駆動する回転機構とを備え、前記発光回転体が、回転中心から半径方向に延在する発光体を有していることを特徴とする。
【０００７】
この照明装置では、発光回転体が回転中心から半径方向に延在する発光体を有しているので、人間の目が点灯間隔を認知しない回転数以上で発光状態の発光体を回転させることで、見かけ上、円形状の発光領域が得られる。このため、発光回転体を均等に複数配置して並べることで、円形状発光領域が複数均等に設けられた大面積の全体発光領域を得ることができる。したがって、支持板の端部と中央部とで均一な輝度分布が得られ、有効発光領域も広く確保することが可能になる。
【０００８】
また、本発明の照明装置は、前記発光体が、赤色ＬＥＤ、緑色ＬＥＤ及び青色ＬＥＤの組合せ又は白色ＬＥＤで構成されていることを特徴とする。すなわち、この照明装置では、ＲＧＢの３原色を発光する赤色ＬＥＤ、緑色ＬＥＤ及び青色ＬＥＤの組合せ又は白色ＬＥＤを発光体とすることにより、照明光として容易に白色光を得ることができる。
【０００９】
さらに、本発明の照明装置は、前記発光体が、青色ＬＥＤ素子又は紫外光ＬＥＤ素子を有し青色光又は紫外光を白色光に変換させる蛍光体を含有した封止樹脂で前記ＬＥＤ素子を封止した白色ＬＥＤモジュールで構成され、前記白色ＬＥＤモジュールが、前記回転中心から半径方向に延在した略長方形状とされていることを特徴とする。すなわち、この照明装置では、蛍光体を介して白色光が得られる略長方形状の白色ＬＥＤモジュールを発光体としているので、回転される白色ＬＥＤモジュールによって容易に白色光の円形発光領域を得ることができる。
【００１０】
また、本発明の照明装置は、前記発光体が、複数の赤色ＬＥＤ素子を有する赤色ＬＥＤモジュールと複数の緑色ＬＥＤ素子を有する緑色ＬＥＤモジュールと複数の青色ＬＥＤ素子を有する青色ＬＥＤモジュールとで構成され、前記赤色ＬＥＤモジュール、前記緑色ＬＥＤモジュール及び前記青色ＬＥＤモジュールが、それぞれ前記回転中心から半径方向に延在した略長方形状とされていることを特徴とする。
また、本発明の照明装置は、前記発光体が、赤色ＬＥＤ素子を有する赤色ＬＥＤパッケージと緑色ＬＥＤ素子を有する緑色ＬＥＤパッケージと青色ＬＥＤ素子を有する青色ＬＥＤパッケージとを前記回転中心から半径方向に順次並べた少なくとも３つの３色ＬＥＤモジュールで構成され、前記３つの３色ＬＥＤモジュールが、互いに前記回転中心から同一距離にあるパッケージは互いに異なる発光色となるように配置されていることを特徴とする。
すなわち、これらの照明装置では、光の３原色である略長方形状の赤色ＬＥＤモジュール、緑色ＬＥＤモジュール及び青色ＬＥＤモジュールを発光体とし、又は赤色ＬＥＤパッケージ、緑色ＬＥＤパッケージ及び青色ＬＥＤパッケージを順次並べると共に上記配置とした３色ＬＥＤモジュールを発光体としているので、回転によって３原色が重なり、見かけ上白色光の円形発光領域を得ることができる。
【００１１】
また、本発明の照明装置は、前記発光回転体が、前記発光体の発光に対して反射効果のある上面に前記発光体を実装した回転基板を備えていることを特徴とする。すなわち、この照明装置では、発光体を実装した回転基板の上面が白色面又はメッキ面等の高反射面となっているので、発光体からの光を上方に反射して輝度を向上させることができる。
【００１２】
さらに、本発明の照明装置は、前記回転基板が、円錐形状とされていることを特徴とする。すなわち、この照明装置では、円錐形状の回転基板を採用することにより、隣接する発光回転体からの照射光を傾斜面となった回転基板の上面で効率的に上方に反射させることができ、より輝度を向上させることができる。
【００１３】
また、本発明の照明装置は、複数の前記回転基板が、千鳥格子状に配置されていることを特徴とする。すなわち、この照明装置では、千鳥格子状に配置された回転基板間の隙間が、正方形格子状に配置された場合などに比べて小さくなることで、発光領域の面積率を高めることができる。
【００１４】
また、本発明の照明装置は、隣接する前記回転基板が、互いに異なる高さに設定されて外縁部の一部が重なり合って配されていることを特徴とする。すなわち、この照明装置では、隣接する回転基板がその外縁部で互いに重なり合って配されているので、隣接する回転基板間の隙間を小さくすることができ、発光領域の面積率を高めることができる。
【００１５】
また、本発明の照明装置は、隣接する前記回転基板の間に、前記発光体の発光に対して反射効果のある表面とされた略角錐状又は略円錐状の反射柱が設置されていることを特徴とする。すなわち、この照明装置では、回転基板間に白色面又はメッキ面等の高反射面の表面を有する上記反射柱を設置することにより、反射柱によって回転基板間の隙間からも上方に照明光を効率的に反射させることができ、発光領域の面積率及び輝度をより向上させることができる。また、反射柱が先細の略角錐状又は略円錐状とされているので、隣接する回転基板を反射柱に近づけて配することができ、反射柱と回転基板との隙間を低減することができる。
【００１６】
また、本発明の照明装置は、前記発光回転体に、複数のフィンが設けられていることを特徴とする。すなわち、この照明装置では、発光回転体が複数のフィンを有しているので、発光回転体と共に回転するフィンが放熱ファンとなって、空冷効果を得ることができ、発熱する発光体を冷却させることができる。
【００１７】
本発明の液晶表示装置は、液晶層を有する液晶パネルと、前記液晶パネルの背面から照明光を投射するバックライトとを備え、前記バックライトが、上記本発明の照明装置であることを特徴とする。
この液晶表示装置では、バックライトとして上記本発明の照明装置を採用するので、大面積でも全体の輝度分布の均一化及び有効発光領域の確保が可能になり、導光板を必要としない大面積の直下式バックライトによる液晶表示が可能になる。
【発明の効果】
【００１８】
本発明によれば、以下の効果を奏する。
すなわち、本発明に係る照明装置によれば、発光回転体が回転中心から半径方向に延在する発光体を有しているので、見かけ上、複数の円形状発光領域が得られ、複数の発光回転体を並べることで、大面積であっても均一な輝度分布及び広い有効発光領域を得ることができる。したがって、本発明の照明装置をバックライトとして用いた液晶表示装置によれば、導光板を必要とせず、輝度分布が均一で大面積の直下式バックライトによる液晶表示が可能になる。
【発明を実施するための最良の形態】
【００１９】
以下、本発明に係る照明装置及び液晶表示装置の第１実施形態を、図１及び図２に基づいて説明する。
【００２０】
本実施形態における液晶表示装置は、図１及び図２に示すように、対向配置された一対の基板（図示略）間に挟持された液晶層（図示略）を有する液晶パネル１と、液晶パネル１の背面から照明光を投射するバックライト（照明装置））２と、液晶パネル１を挟んで配された２枚の偏光板３と、バックライト２と液晶パネル１との間に配された光拡散板４とを備えている。
【００２１】
上記液晶パネル１は、例えば透過型のカラー液晶パネルであって、ガラス等で構成され透明電極を有する２枚の透明基板（図示略）を互いに対向配置させ、その間隙に、例えば、ツイステッドネマチック（ＴＮ）液晶を封入した液晶層（図示略）を設けた構成となっている。また、透明基板には、マトリクス状のＴＦＴアレイ（図示略）及びカラーフィルタ（図示略）が設けられている。すなわち、本実施形態の液晶表示装置は、液晶パネル１の背面からバックライト２により白色光を照射した状態で、アクティブマトリクス方式で駆動することで、カラー表示するディスプレイ装置である。
【００２２】
上記バックライト２は、図示しない電極が上面に形成されたマザーボード（支持板）５と、該マザーボード５上で回転可能に複数並べて支持された発光回転体６と、発光回転体６を回転駆動する回転機構７とを備えている。
上記発光回転体６は、マザーボード５上に回転可能に支持された円盤状の支持部８と、支持部８上に固定され高さの低い円錐形状とされた回転基板９と、回転基板９上面に実装され回転中心Ｃ（回転基板９の中心軸）から半径方向に半径分だけ延在する白色ＬＥＤモジュール（発光体）１０とで構成されている。
【００２３】
なお、白色ＬＥＤモジュール１０は、回転基板９及び支持部８を介して発光回転体６の下面に設けられた電極（図示略）まで配線で電気的に接続され、この電極がマザーボード５に形成された電極と回転時でも接触して発光に必要な電流が供給されるように設定されている。
【００２４】
上記回転基板９は、その上面が白色ＬＥＤモジュール１０の発光に対して反射効果のある白色面又はメッキ面等の高反射面となっている。
上記白色ＬＥＤモジュール１０は、長方形状の基板に複数の発光ダイオード素子を搭載し、蛍光体を含有した封止樹脂で全体を封止したライン光源ＬＥＤである。なお、上記発光ダイオード素子は、窒化ガリウム系化合物半導体又はシリコンカーバイド系化合物半導体で形成された青色（波長λ：４７０〜４９０ｎｍ）ＬＥＤ素子又は紫外光（波長λ：４７０ｎｍ未満）ＬＥＤ素子などである。さらに、上記蛍光体は、例えばＹＡＧ蛍光体であり、発光ダイオードからの青色光又は紫外光を白色光に変換させるものである。
【００２５】
上記回転機構７は、マザーボード５の裏面又は外部に設けられた駆動モータＭと、駆動モータＭに接続されマザーボード５を介して駆動モータＭの回転駆動力を各発光回転体６に伝達して回転させる動力伝達手段１１とを備えている。この動力伝達手段１１は、例えば駆動モータＭの回転軸と各発光回転体６とを接続する複数のギヤ機構やベルト機構等で構成されている。また、動力伝達手段１１は、人間の目が点灯間隔を認知しない回転数以上で全ての発光回転体６を同じ回転数で駆動するように設定されている。
【００２６】
このように本実施形態では、バックライト２における発光回転体６が回転中心から半径方向に延在する白色ＬＥＤモジュール１０を有しているので、人間の目が点灯間隔を認知しない回転数以上で発光状態の白色ＬＥＤモジュール１０を回転させることで、見かけ上、円形状の発光領域が得られる。このため、発光回転体６を均等に複数配置して並べることで、円形状発光領域が複数均等に設けられた大面積の全体発光領域を得ることができる。したがって、マザーボード５の端部と中央部とで均一な輝度分布が得られ、有効発光領域も広く確保することが可能になる。
【００２７】
また、白色ＬＥＤモジュール１０を実装した回転基板９の上面が白色面又はメッキ面等の高反射面となっているので、より輝度を向上させることができる。
さらに、円錐形状の回転基板９を採用することにより、隣接する発光回転体６からの照射光を傾斜面となった回転基板９の上面で効率的に上方に反射させることができ、より輝度を向上させることができる。
したがって、このようなバックライト２を採用した液晶表示装置では、大面積でも全体の輝度分布の均一化及び有効発光領域の確保が可能になり、導光板を必要としない大面積の直下式バックライトによる液晶表示が可能になる。
【００２８】
次に、本発明に係る照明装置及び液晶表示装置の第２から第４実施形態について、図３から図５を参照して説明する。なお、以下の各実施形態の説明において、上記実施形態において説明した同一の構成要素には同一の符号を付し、その説明は省略する。
【００２９】
第２実施形態と第１実施形態との異なる点は、第１実施形態では、回転基板９上に回転中心Ｃから半径方向に延在する白色ＬＥＤモジュール１０を搭載しているのに対し、第２実施形態では、図３に示すように、発光回転体２６の回転基板９上に、１つの青色ＬＥＤ素子又は紫外光ＬＥＤ素子を上記封止樹脂で封止した単品状の白色ＬＥＤパッケージ（発光体）２０を複数有し、これら白色ＬＥＤパッケージ２０を回転中心Ｃから半径方向外方に並べている点である。すなわち、第２実施形態では、複数並べられた白色ＬＥＤパッケージ２０全体で第１実施形態の白色ＬＥＤモジュール１０と同様の長さの発光領域を確保している。
【００３０】
第３実施形態と第１実施形態との異なる点は、第１実施形態では、回転基板９上に白色ＬＥＤモジュール１０を搭載しているのに対し、第３実施形態では、図４に示すように、発光回転体３６の回転基板９上に、単色のＬＥＤモジュールである赤色ＬＥＤモジュール（発光体）３０Ｒ、緑色ＬＥＤモジュール（発光体）３０Ｇ及び青色ＬＥＤモジュール（発光体）３０Ｂを互いに１２０°の角度間隔で搭載している点である。これら赤色ＬＥＤモジュール３０Ｒ、緑色ＬＥＤモジュール３０Ｇ及び青色ＬＥＤモジュール３０Ｂは、それぞれ対応する赤色ＬＥＤ素子、緑色ＬＥＤ素子及び青色ＬＥＤ素子を長方形状の基板上に複数並べたＬＥＤモジュールである。
【００３１】
また、赤色ＬＥＤモジュール３０Ｒ、緑色ＬＥＤモジュール３０Ｇ及び青色ＬＥＤモジュール３０Ｂは、それぞれ回転中心Ｃ側の端部が三角形状とされて互いに付き合わされている。すなわち、赤色ＬＥＤモジュール３０Ｒ、緑色ＬＥＤモジュール３０Ｇ及び青色ＬＥＤモジュール３０Ｂが組み合わされた回転中心Ｃ近傍では、隙間が形成されない構造とされている。
このように第３実施形態では、ＲＧＢの３原色を発光する赤色ＬＥＤモジュール３０Ｒ、緑色ＬＥＤモジュール３０Ｇ及び青色ＬＥＤモジュール３０Ｂを組合せているので、回転によって見かけ上３原色が合わさって白色光の照明光を得ることができる。なお、第２実施形態のように赤色ＬＥＤモジュール３０Ｒ、緑色ＬＥＤモジュール３０Ｇ及び青色ＬＥＤモジュール３０Ｂを、単品の同色ＬＥＤパッケージを複数並べて構成しても構わない。
【００３２】
第４実施形態と第３実施形態との異なる点は、第３実施形態では、回転基板９上に３原色それぞれの単色のＬＥＤモジュールを搭載しているのに対し、第４実施形態では、図５に示すように、発光回転体４６の回転基板９上に、長方形状の基板上に単色の赤色ＬＥＤパッケージ（発光体）４０Ｒ、緑色ＬＥＤパッケージ（発光体）４０Ｇ及び青色ＬＥＤパッケージ（発光体）４０Ｂが交互に複数並べて一列とされた３色ＬＥＤモジュール（発光体）４０が３つ搭載されている点である。
【００３３】
上記３つの３色ＬＥＤモジュール４０は、回転中心Ｃから同一距離にあるパッケージは互いに異なる発光色となるように配置されており、回転によりＲＧＢの３原色が見かけ上重なり合って白色が得られるようになっている。すなわち、この３色ＬＥＤモジュール４０は、少なくとも３列必要となる。
【００３４】
次に、本発明に係る照明装置及び液晶表示装置の第５及び第６実施形態について、図６から図８を参照して説明する。
【００３５】
第５実施形態と第１実施形態との異なる点は、第１実施形態では、回転基板９が正方形格子状に配置されているのに対し、第５実施形態のバックライト（照明装置）５２では、図６に示すように、複数の回転基板９が、千鳥格子状に配置されている点である。すなわち、第５実施形態では、千鳥格子状に配置された回転基板９間の隙間が、第１実施形態のように正方形格子状に配置された場合などに比べて小さくなることで、発光領域の面積率をより高めることができる。
【００３６】
第６実施形態と第１実施形態との異なる点は、第１実施形態では、回転基板９はいずれも同じ高さであるのに対し、第６実施形態のバックライト（照明装置）６２では、図７及び図８に示すように、隣接する回転基板９が、互いに異なる高さに設定されて外縁部の一部が重なり合って配されている点である。
すなわち、第６実施形態では、回転基板９を支持する支持部として高く設定された高支持部６８Ｈを有する高発光回転体６６Ｈと低く設定された低支持部６８Ｌを有する低発光回転体６６Ｌとが交互に配されている。
【００３７】
また、高発光回転体６６Ｈは、その回転基板９の直径が少なくとも高支持部６８Ｈの直径よりも大きく設定され、隣接する低発光回転体６６Ｌの回転基板９の外縁部が重なり合っても高支持部６８Ｈに接触しないように設定されている。
このように第６実施形態では、隣接する回転基板９がその外縁部で互いに重なり合って配されているので、隣接する回転基板９間の隙間を小さくすることができ、発光領域の面積率を高めることができる。
【００３８】
次に、本発明に係る照明装置及び液晶表示装置の第７及び第８実施形態について、図９から図１２を参照して説明する。
【００３９】
第７実施形態と第１実施形態との異なる点は、第１実施形態では、隣接する回転基板９の間には単に隙間が形成されているが、第７実施形態のバックライト（照明装置）７２では、図９から図１１に示すように、隣接する回転基板９の間に、白色ＬＥＤモジュール１０の発光に対して反射効果のある表面とされた四角錐反射柱７３が設置されている点である。
上記四角錐反射柱７３は、表面が白色面又はメッキ面等の反射面とされ、マザーボード５上に立設されている。また、四角錐反射柱７３は、その高さが回転基板９よりも高く設定されている。さらに、四角錐反射柱７３は、隣接する回転基板９の間の隙間形状に対応して略四角錐状に形成されている。
【００４０】
このように第７実施形態では、回転基板９間に高反射面の表面を有する四角錐反射柱７３を設置することにより、四角錐反射柱７３によって回転基板９間の隙間からも上方に照明光を効率的に反射させることができ、発光領域の面積率及び輝度をより向上させることができる。また、四角錐反射柱７３が先細の略角錐状とされているので、隣接する回転基板９を四角錐反射柱７３に近づけて配することができ、四角錐反射柱７３と回転基板９との隙間を低減することができる。
【００４１】
第８実施形態と第７実施形態の異なる点は、第７実施形態では、回転基板９が正方形格子状に配置され、四角錐反射柱７３が設置されているのに対し、第８実施形態のバックライト（照明装置）８２では、図１２に示すように、回転基板９が千鳥格子状に配置されて隣接する回転基板９の隙間に、この隙間形状に対応して略三角錐状の三角錐反射柱８３が設置されている点である。この第８実施形態でも、第７実施形態と同様に三角錐反射柱８３による反射効果を得ることができる。なお、上述したように、回転基板９間の隙間形状に対応した四角錐反射柱７３や三角錐反射柱８３等の略角錐状の反射柱が好適であるが、略円錐状の反射柱としても上方への反射効果を得ることができる。
【００４２】
次に、本発明に係る照明装置及び液晶表示装置の第９及び第１０実施形態について、図１３及び図１４を参照して説明する。
【００４３】
第９実施形態と第１実施形態との異なる点は、第９実施形態のバックライト（照明装置）９２では、図１３に示すように、発光回転体９６に２つのフィン９３が設けられている点である。すなわち、第９実施形態では、回転基板９の下面かつ外縁部に２つのフィン９３が設けられている。
また、第１０実施形態のバックライト（照明装置）１０２では、図１４に示すように、発光回転体１０６において、回転基板９を支持する支持部１０８の下側外周面に多数のフィン９３が設けられている。
【００４４】
このように第９及び第１０実施形態では、発光回転体９６、１０６が複数のフィン９３を有しているので、発光回転体９６、１０６と共に回転するフィン９３が放熱ファンとなって、空冷効果を得ることができ、発熱する白色ＬＥＤモジュール１０を冷却させることができる。
【００４５】
なお、本発明は上記各実施形態に限定されるものではなく、本発明の趣旨を逸脱しない範囲において種々の変更を加えることができる。
【００４６】
例えば、上述したように、円錐形状の回転基板９上に白色ＬＥＤモジュール１０等の発光体を設けることが好ましいが、円板状の回転基板上に白色ＬＥＤモジュール１０を搭載したり、回転基板を設けずに白色ＬＥＤモジュール１０の端部のみを支持して回転させても構わない。
また、本発明の照明装置は、上述したように液晶表示装置のバックライトとして適しているが、他の目的の照明用として採用しても構わない。
【図面の簡単な説明】
【００４７】
【図１】本発明に係る第１実施形態の照明装置及び液晶表示装置において、バックライトを示す平面図である。
【図２】第１実施形態の液晶表示装置を示す概略的な側面図である。
【図３】本発明に係る第２実施形態において、発光回転体を示す平面図である。
【図４】本発明に係る第３実施形態において、発光回転体を示す平面図である。
【図５】本発明に係る第４実施形態において、発光回転体を示す平面図である。
【図６】本発明に係る第５実施形態において、バックライトを示す平面図である。
【図７】本発明に係る第６実施形態において、バックライトを示す平面図である。
【図８】第６実施形態において、バックライトを示す側面図である。
【図９】本発明に係る第７実施形態において、バックライトを示す平面図である。
【図１０】第７実施形態において、四角錐反射柱を示す斜視図である。
【図１１】図９のＡ−Ａ線断面図である。
【図１２】本発明に係る第８実施形態において、バックライトを示す平面図である。
【図１３】本発明に係る第９実施形態において、バックライトを示す側面図である。
【図１４】本発明に係る第１０実施形態において、バックライトを示す側面図である。
【符号の説明】
【００４８】
１…液晶パネル、２、５２、６２、７２、８２、９２、１０２…バックライト（照明装置）、５…マザーボード（支持板）、６、２６、３６、４６、９６、１０６…発光回転体、７…回転機構、９…回転基板、１０…白色ＬＥＤモジュール（発光体）、３０Ｒ…赤色ＬＥＤモジュール（発光体）、３０Ｇ…緑色ＬＥＤモジュール（発光体）、３０Ｂ…青色ＬＥＤモジュール（発光体）、４０…３色ＬＥＤモジュール（発光体）、赤色４０Ｒ…ＬＥＤパッケージ（発光体）、４０Ｇ…緑色ＬＥＤパッケージ（発光体）、４０Ｂ…青色ＬＥＤパッケージ（発光体）、７３…四角錐反射柱、８３…三角錐反射柱、９３…フィン
【図１】
2008034267.tif 000003
【図２】
2008034267.tif 000004
【図３】
2008034267.tif 000005
【図４】
2008034267.tif 000006
【図５】
2008034267.tif 000007
【図６】
2008034267.tif 000008
【図７】
2008034267.tif 000009
【図８】
2008034267.tif 000010
【図９】
2008034267.tif 000011
【図１０】
2008034267.tif 000012
【図１１】
2008034267.tif 000013
【図１２】
2008034267.tif 000014
【図１３】
2008034267.tif 000015
【図１４】
2008034267.tif 000016